(57)【特許請求の範囲】
【請求項１】
短手方向の中央部に断面山形に折り曲げ加工された上板を有し、
該上板の短手方向の両側縁にそれぞれ外方に凸となる断面略く字形の側板が一体形成されて、該側板の下端に上向きの折返し片が形成されてなる棟板と、
上記棟板と略等しい全長を有して、上記棟板の上板裏面及び折返し片に固定されることにより上記棟板を下側から建物の棟木に支持固定する支持板と、
棟板の上板裏面両側部に取り付けられ、棟板の短手方向両側部に向けて下降傾斜する水切板とを備え、
上記棟板における両側板の上部近傍と上記支持板の上部近傍には、矩形スリット状の換気口が棟板の長手方向に沿って一定のピッチで複数個設けられるとともに、
棟板の両側板に形成された上記換気口の直下に上記水切板が配置される一方、
棟板の長手方向の両端部には上記換気口が設けられず、両側板の下部及び折返し片の両端部に水抜き用の切欠きが形成されて、この切欠きが棟板の長手方向両端部を塞ぐ妻板によって覆われることを特徴とする換気棟。
【発明の詳細な説明】
【０００１】
【発明の属する技術分野】
本発明は建物の屋根棟部に設置される換気棟に関する。
【０００２】
【従来の技術】
最近の住宅や大型の建築物においては、小屋裏の換気不良による野地板、垂木等の屋根構体の腐食を防止することを目的として、屋根の棟を利用して小屋裏の換気を行う換気棟（換気装置）が設置されることが多くなってきている。
【０００３】
この種の換気棟としては、特開平６−２６４５７８号公報に見られるように、屋根の棟に合わせて加工された断面山形の棟板（金属折板）の上面に換気口を設けるとともに、その換気口の下方に水切板を設けた構造のものがある。このような換気棟において、棟板の上面の換気口から雨水が浸入した場合、その雨水は水切板に沿って下方に流れ、棟板下部（換気口下部）に設けた排水口から外部に排水されるようになっている。
【０００４】
【発明が解決しようとする課題】
ところで、この種の換気棟は、棟板の上面に沿って流れる気流により棟板表面に生じる負圧によって、小屋裏の空気を換気口を通じて外部へと引き出すというメカニズムにより換気を行う方式となっているが、前記した構造の換気棟では、棟板の下部に排水口が設けられているため、その排水口への外気の入り込みにより、換気棟内部（棟板裏面空間）と外部との差圧が小さくなってしまい、十分な換気効果が得られないという問題がある。
【０００５】
また、従来の換気棟によれば、台風時の暴風雨等により、横なぐりの雨が換気棟に吹きつけたときには、棟板に設けた換気口（または排水口）から雨水が小屋裏内に浸入する可能性があるという問題もある。
【０００６】
本発明はそのような実情に鑑みてなされたもので、換気効率が良く、しかも小屋裏に雨水が浸入する可能性が少ない構造の換気棟の提供を目的とする。
【０００７】
【課題を解決するための手段】
上記の目的を達成するため、本発明の換気棟は、短手方向の中央部に断面山形に折り曲げ加工された上板を有し、該上板の短手方向の両側縁にそれぞれ外方に凸となる断面略く字形の側板が一体形成されて、該側板の下端に上向きの折返し片が形成されてなる棟板と、上記棟板と略等しい全長を有して、上記棟板の上板裏面及び折返し片に固定されることにより上記棟板を下側から建物の棟木に支持固定する支持板と、棟板の上板裏面両側部に取り付けられ、棟板の短手方向両側部に向けて下降傾斜する水切板とを備え、上記棟板における両側板の上部近傍と上記支持板の上部近傍には、矩形スリット状の換気口が棟板の長手方向に沿って一定のピッチで複数個設けられるとともに、棟板の両側板に形成された上記換気口の直下に上記水切板が配置される一方、棟板の長手方向の両端部には上記換気口が設けられず、両側板の下部及び折返し片の両端部に水抜き用の切欠きが形成されて、この切欠きが棟板の長手方向両端部を塞ぐ妻板によって覆われることによって特徴づけられる。
【０００８】
本発明の換気棟によれば、棟板の換気口の下方には水抜き穴等の開口部を設けずに、棟板の両端部に水抜き用の切欠きを設けており、しかも、その水抜き用の切欠きは、棟板端部に取り付ける妻板によって覆われるので、棟板に風が作用した際に換気棟内に入り込む風が殆どなくなる。これにより、棟板の上面に沿って流れる風により生じる負圧と、換気棟内部（棟板裏面空間）との差圧が大きくなる結果、換気効率が従来よりも向上する。
【０００９】
さらに、棟板の側板が外方に凸の断面く字形となっているので、側板が整流板の役目を果たし、棟板に対して横から風が作用した際に、棟板の上板への風の回り込みがスムーズ（流速大）となるので、棟板の上面に生じる負圧がより大きくなる。
【００１０】
ここで、本発明の換気棟において、換気口から雨水が浸入しても、その雨水は水切板を伝って棟板の側板下部に落下して、その位置に溜まるか、あるいは棟板両端部の切欠きから外部に流出するので、小屋裏内に浸入する可能性は殆どなくなる。
【００１１】
【発明の実施の形態】
本発明の実施の形態を、以下、図面に基づいて説明する。
【００１２】
本実施の形態の換気棟は、図１〜図４に示すように、棟板１、支持板２、水切板３、妻板４及び接続部水切板５などを主体として構成されている。
【００１３】
棟板１は、図３〜図６に示すように、鋼板等の金属板材（例えば板厚０．５ｍｍ）を折り曲げ加工した折板で、断面山形の上板１１の両側縁に断面く字形の側板１２（外方に凸）が一体形成されている。側板１２の下端は上方に向けて折り返されており、この折返し片１３に、後述する支持板２の取付け片２３がリベット止め等により固定される。棟板１の両側縁の側板１２及び折返し片１３の両端部は切欠かれており、その各切欠き１ｂを通じて、側板１２の下部（側板１２と折返し片１３の角部）に溜まる雨水等を外部に逃がすことができる。
【００１４】
棟板１の上板１１は、中央頂部から両側（屋根面側）に向けて等角度で折り曲げられており、両側部に折り角度を更に大きくした下り棟部１１０が設けられている。下り棟部１１０には複数個（７個）の換気口１ａが、棟板１の長手方向に沿って一定のピッチで加工されている（図１、図２参照）。これら換気口１ａは矩形スリット状の開口で側板１２の上側折曲部の近傍に設けられている。
【００１５】
なお、棟板１の端部には換気口１ａは設けておらず、妻板４の取り付けを考慮して、棟板１の端面から１つ目の換気口１ａの縁部までの間に例えば１００ｍｍ程度の間隔をあけている。
【００１６】
支持板２は、鋼板等の金属板材（例えば板厚０．５ｍｍ）を折り曲げ加工した折板で、図３及び図４に示すように、棟板１の上板裏面に固定される固定片２１と、固定片２１の端部から外側下方に向けて折り返された傾斜片２２と、傾斜片２２の端部から下方に略９０°で折れ曲がる取付け片２３と、取付け片２３の下端から斜め外方に向けて突出するスカート片２４とが一体形成されている。この支持板２の長さは棟板１の全長と略等しい。
【００１７】
支持板２には、図２に示すように、傾斜片２２の上部（固定片２１との折曲部近傍）に、複数個の換気口２ａが長手方向に沿って一定のピッチで加工されている。この支持板２の換気口２ａは、棟板１に設けた換気口１ａと略同形状（矩形スリット状）に加工されており、また、配置ピッチは棟板１の換気口１ａのピッチに対応している。
【００１８】
以上の支持板２は、棟板１の両側部に設けられ、各固定片２１を棟板１の上板裏面に、また各取付け片２３を棟板１の折返し片１３にそれぞれリベット止めすることによって棟板１に固定されている。そして、支持板２の取付り片２３を、図３に示すように、小屋の棟木７にビス止めすることによって、換気棟を建物に取り付けることができる。
【００１９】
水切板３は、図３及び図４に示すように、鋼板等の金属板材（例えば板厚０．５ｍｍ）を折り曲げ加工した折板で、棟板１の裏面にリベット止め等により固定される固定片３１と、固定片３１の端部から斜め下方に延びる傾斜片３２と、傾斜片３２の下端から垂下する垂下片３３とによって構成されており、棟板１（下り棟部１１０の裏面）への固定状態で、傾斜片３２が、棟板１の換気口１ａの直下に位置する。
【００２０】
妻板４は、図４及び図７〜図１０に示すように、鋼板等の金属板材（例えば板厚０．５ｍｍ）の折り曲げ加工品で、棟板１の端部を覆う形状に加工された断面山形のカバー４１と、カバー４１の側面の片方を塞ぐ側板４２と、断面山形に加工された内板４３とによって構成されている。カバー４１の両側下端は、妻板４を棟板１の端部に取り付けた状態で、支持板２のスカート片２４の上面近傍に位置し、このカバー４１によって棟板１端部の切欠き１ｂの前面側が覆われる。
【００２１】
また、カバー４１の下端部側面（側板４２と反対側の面）には、棟板１の側板１２と支持板２のスカート片２４との間にできる隙間を塞ぐための塞ぎ板４４が設けられている。ただし、カバー４１の両側下端面は開口されており、その開口部４ａを通じて、棟板１の側板１２下部に溜まる雨水等を外部に逃がすことができる。
【００２２】
妻板４は、図４及び図１１に示すように、カバー４１の頂部を境として左右に分割されており、その一方の分割体１０４のカバー及び側板がそれぞれカバー４１の頂部を超えて他方の分割体２０４側に延出し、また他方の分割体２０４の内板が頂部を超えて一方の分割体１０４側に延出し、それら延出部１４１，１４２及び延出部２４３が、それぞれ他方の分割体２０４または一方の分割体１０４の内面に重なり合っており、この一対の分割体１０４，２０４をカバー４１の頂部を中心として揺動させることが可能な構造となっている。従って、妻板４は、一対の分割体１０４，２０４の揺動により、頂部の折り角度をある程度の範囲で任意に調節することができる。
【００２３】
なお、以上では換気棟の接続部に設ける妻板の構造を示したが、屋根の棟の端部に設置する換気棟の端部（接続を行わない端部）に取り付ける妻板としては、例えば図７に示した妻板において内板４３がなく、カバー４１の一方の側面の全面に側板が形成されたものを使用する。
【００２４】
接続部水切板５は、建物の棟に連設される換気棟の接続部分の雨仕舞いに用いる部材で、図１１に示すように、鋼板等の金属板材（例えば板厚０．５ｍｍ）の折り曲げ加工により製作された短尺品（幅寸法＝１５０ｍｍ〜２００ｍｍ程度）である。
【００２５】
接続部水切板５は、断面山形に加工された山形片５１と、山形片５１の両端下部からそれぞれ下方に略９０°で立ち下がる垂直片５２と、垂直片５２の各下端から斜め外方に向けて突出するスカート片５３とが一体形成されており、換気棟の接続部への装着状態で一対の支持片２間に嵌まり込み、山形片５１、垂直片５２及びスカート片５３がそれぞれ支持片２の傾斜片２２、取付け片２３及びスカート片２４に当たる（図４参照）。
【００２６】
なお、本実施の形態では、以上の構成に加えて、棟板１の換気口１ａから入った虫やごみなどが小屋裏に侵入することを防止するため、棟板１の裏面側に防虫網６を設けている。
【００２７】
以上の構造の本実施の形態によれば、棟板１の上面に生じる負圧によって、小屋裏の空気が支持板２の換気口２ａ及び棟板１の換気口１ａを通じて外部に排気され（図３）、小屋裏の換気が効率良く行われる。
【００２８】
また、棟板１の側板１２が外方に凸の断面く字形となっているので、棟板１に対して横方向から風が作用した際に、棟板１の上板１１への風の回り込みがスムーズ（流速大）となるので、棟板１の上面に生じる負圧がより大きくなる。しかも、換気口１ａは上板１１に回り込む風が最大となる位置すなわち側板１２の上側折曲部の近傍位置に設けているので、より高い排気（換気）力を得ることができる。また、棟板１の上板１１への風の回り込みがスムーズになることから、風下側の換気口１ａでの換気効率も向上する。
【００２９】
本実施の形態において、棟板１の換気口１ａから雨水が浸入した場合、図３及び図４に示すように、その雨水は水切板３に沿って流れ、側板１２の下部に落下して、その位置に溜まるか、あるいは棟板１両端の切欠き１ｂから外部に流出する。しかも、本実施の形態では、棟板１を支持する支持板２を、上板１１の裏面にまで延長しているので、側板１２の下部に雨水が溜まった場合であっても、支持板２の取付け片２３及び傾斜片２２が水返し板の役目を果たすので、小屋裏に雨水が浸水することを確実に防止することができる。
【００３０】
ここで、本実施の形態によれば、棟板１が板厚０．５ｍｍ程度の金属板（例えば鋼板）であることから、図１２に示すように、棟板１の頂部Ｐを中心として全体を撓ませることにより、棟板１の頂部の折り角度を変化させることが可能である。従って、換気棟を設置する建物によって棟の角度（屋根勾配）が違っていても、１種の換気棟で対応できるという利点がある。なお、妻板４については、先に述べたように、一対の分割体１０４，２０４の合わせ構造とし、これら分割体１０４，２０４の揺動によりカバー４１の頂部の折り角度を任意に調節できる構造とすることによって、各建物の屋根勾配に対応できるようにしている。
【００３１】
【発明の効果】
以上説明したように、本発明の換気棟によれば、棟板に設けた換気口から浸入した雨水を、棟板の両端に設けた水逃がし用の切欠きから外部に排水する構造とするとともに、その水逃がし用の切欠きを妻板で覆っているので、換気棟内部に風が入り込み難くなり、これにより小屋内部と棟板上面との間の差圧が大きくなる結果、換気効率が従来よりも高くなる。しかも、棟板の換気口の下方に水切板を設けているので、換気口から入り込んだ雨水が小屋裏に浸入することを確実に防止することができる。
【図面の簡単な説明】
【図１】本発明の実施の形態の平面図（Ａ）及び側面図（Ｂ）である。
【図２】図１のＣ−Ｃ断面図である。
【図３】図１のＤ−Ｄ断面図である。
【図４】図１のＥ−Ｅ断面図である。
【図５】本発明の実施の形態に使用する棟板の側面図である。
【図６】図５のＦ−Ｆ断面図である。
【図７】本発明の実施の形態に使用する妻板の正面図（Ａ）及び平面図（Ｂ）である。
【図８】妻板の側面図である。
【図９】図７のＧ−Ｇ断面図である。
【図１０】図７のＨ矢視図である。
【図１１】本発明の実施の形態に使用する接続部水切板の正面図（Ａ）及び平面図（Ｂ）である。
【図１２】本発明の実施の形態の作用説明図である。
【符号の説明】
１  棟板
１ａ  換気口
１ｂ  切欠き（水逃がし用）
１１  上板
１１０  下り棟部
１２  側板
１３  折返し片
２  支持板
２ａ  換気口
２１  固定片
２２  傾斜片
２３  取付け片
２４  スカート片
３  水切板
３１  固定片
３２  傾斜片
３３  垂下片
４  妻板
４ａ  開口部
４１  カバー
４２  側板
４３  内板
４４  塞ぎ板
５  接続部水切板
５１  山形片
５２  垂直片
５３  スカート片
６  防虫網
７  棟木
【図１】
0003738874.tif 000002
【図２】
0003738874.tif 000003
【図３】
0003738874.tif 000004
【図４】
0003738874.tif 000005
【図５】
0003738874.tif 000006
【図６】
0003738874.tif 000007
【図７】
0003738874.tif 000008
【図８】
0003738874.tif 000009
【図９】
0003738874.tif 000010
【図１０】
0003738874.tif 000011
【図１１】
0003738874.tif 000012
【図１２】
0003738874.tif 000013